(57)【特許請求の範囲】
【請求項１】
発電所における建設途上の建築構造物の中央部から放射状に設けられた骨組みと、この骨組みに沿って区分して設けられた複数の小袋状仮設養生屋根と、これらの小袋状仮設養生屋根のそれぞれに加圧空気を送り込む空気供給口と、この空気供給口に接続される加圧源とを有し、任意の小袋状仮設養生屋根を膨らませることによって除雪可能としたことを特徴とする発電所の建設方法。
【請求項２】
前記加圧源の下流側に加温装置を設け、加温空気を前記空気供給口に送り込むことを特徴とする請求項１記載の発電所の建設方法。
【発明の詳細な説明】
【０００１】
【発明の属する技術分野】
本発明は、降雪または氷結のある積雪、寒冷地域に建設する建築構造物に対して積雪、氷結対策を施した発電所の建設方法に関する。
【０００２】
【従来の技術】
一般に、降雪または氷結のある地域に建築構造物を建設する例えば原子力発電所（以下、発電所と記す）の建設工事においては、降雪またはつらら等の氷結により建設工事の妨げや作業効率が低下する。この対策として、除雪や屋根の雪下ろし等の作業を人力や除雪資材、機材により実施している。
【０００３】
特に、建設途上の発電所においては、冬期間は仮設屋根や、養生用シート等により降雪または氷結の影響を受けないようにしており、積雪の状態や積雪荷重の状態により、除雪や屋根の雪下ろし等の作業を人力や除雪資材・機材により行っている。
【０００４】
一方、傾斜を持たせた本設屋根が建設された発電所においては、積雪荷重を建物設計の設計条件に取り入れた設計をしているので、積雪の状態や積雪荷重の状態によって、除雪や屋根の雪下ろし等の作業を人力や除雪資材、機材により行っている。
【０００５】
図４および図５により従来の原子力発電所における、冬期間の建設途上にある建築構造物の仮設屋根に積雪した除雪作業方法を説明する。
図４において、符号１は建設途上の原子炉建屋で、要部を概略的に示している。原子炉建屋内１のベースマットコンクリート２上に仮支持台３が構築され、この仮支持台３にコンクリート製原子炉格納容器（以下、ＰＣＶと記す）４が順次積み上げられて構築されている。
【０００６】
なお、図４中ＰＣＶ４は建設途上の状態で示しており、また、符号５はペデスタル、６はしゃへいコンクリート、７は仮設架台、８は圧力抑制室、９はベントパイプ、１０はモノレールで、それらは概略的に示している。
【０００７】
建設途上のＰＣＶ４には、降雪から作業環境を確保するために、ある程度傾斜を有する仮設養生屋根１１によりＰＣＶ４の上端開口部全体を覆うようにして設置している。仮設養生屋根１１は図５に上方から見た平面図で示したように仮設養生屋根１１の中心部から放射状に延在した八角形傘状骨組１２を有し、骨組１２に覆材１３が取り付けられたもので、仮設屋根または仮設養生用シートとも呼ばれている。
【０００８】
また、図４に示したようにＰＣＶ４の分割部分、つまり、積み上げ部分を溶接接続し、仕上げ作業等の作業環境を確保するために、仮設養生屋根１１から養生シート１４が下方に配置されている。
【０００９】
図５において、仮設養生屋根１１は、骨組１２を主体としているが、取付け、取外しを容易にするためと、重量軽減のために骨組１２を軽量化している。骨組１２の覆材１３としては、重量軽減のため、デッキプレートやトタン板や木材板、シート等を使用して養生屋根１１としているが、採光性を考慮し、シートを使用することが多い。
【００１０】
【発明が解決しようとする課題】
上述の従来の原子力発電所の建設方法においては、降雪から作業環境を確保するためにある程度の傾斜を有する仮設養生屋根１１を建設途上の建築構造物に設けているが、降雪の度毎に雪は滑り落ちることがなく、結果として仮設養生屋根１１に積る。雪は日中の寒暖の差で、ある程度解けたり凍結したりし、また、新たな降雪より圧縮され、比重が大きくなり、仮設養生屋根１１には大きな荷重が加わることになる。
【００１１】
この積雪荷重が仮設養生屋根１１の許容耐力を超えると破壊につながり、仮設養生屋根１１の下方で作業している作業員の安全が確保できなくなったり、機器類が損傷を受けたりするという課題がある。
【００１２】
また、積雪荷重が仮設養生屋根１１の許容耐力を超えないようにするために、仮設養生屋根１１の除雪作業を行う方法もあるが、そのためには、除雪作業のために資材・機材や、作業者が必要となる。その結果、作業者を新たに確保するとか、予定していた作業を中断し、工程を遅延させて、除雪作業を行わなければならない等の課題がある。
【００１３】
本発明は上記課題を解決するためになされたもので、積雪やつららの荷重が仮設養生屋根の許容耐力を超えないようにして、除雪、つららの除去作業を容易に行うことができる原子力発電所の建設方法を提供することにある。
【００１４】
【課題を解決するための手段】
請求項１に係る発明は、発電所における建設途上の建築構造物の中央部から放射状に設けられた骨組みと、この骨組みに沿って区分して設けられた複数の小袋状仮設養生屋根と、これらの小袋状仮設養生屋根のそれぞれに加圧空気を送り込む空気供給口と、この空気供給口に接続される加圧源とを有し、任意の小袋状仮設養生屋根を膨らませることによって除雪可能としたことを特徴とする。
【００１７】
請求項１に係る発明によれば、袋状仮設養生屋根を複数に区分した小袋状養生屋根それぞれに空気供給口を設け、任意に選択して加圧空気を供給して膨らませる。これにより風向きまたは周囲の状態によって小袋状仮設屋根の積雪状態が異なる場合、部分的に、積雪と小袋状仮設養生屋根との間の摩擦係数を非常に小さなものとする。
【００１８】
そして、重力に従い積雪は落下する事になり、容易に積雪荷重が仮設養生屋根の許容耐力を超えないようにすることができる。さらに、自然にまた徐々に大きくなるつららに対しても積雪と同時に落下させることができる。
【００１９】
請求項２に係る発明は、前記加圧源の下流側に加温装置を設け、加温空気を前記空気供給口に送り込むことを特徴とする。
【００２３】
請求項２に係る発明によれば、小袋状仮設養生屋根に加圧された加温空気を流入することにより、積雪と前記各々の屋根間の凍結密着を阻害させることができる。
【００２４】
すなわち、寒冷地においても、容易に積雪と前記各々の屋根との間の摩擦係数が非常に小さなものになり、前述したように、重力に従い、積雪は落下する事になり、容易に積雪荷重が前記各々の屋根の許容耐力を超えないようにすることができる。さらに、自然にまた徐々に大きくなるつららに対しても積雪と同時に落下させることができる。
【００２６】
【発明の実施の形態】
図１により本発明に係る原子力発電所の建設方法の第１の実施の形態を説明する。図１中、図４と同一部分には同一符号を付して重複する部分は省略する。
本実施の形態は、建設途上のＰＣＶ４には、降雪から作業環境を確保するために、ある程度の傾斜のついた袋状仮設養生屋根１５が建設途上のＰＣＶ４の上端開口部全体を覆うように設けられている。また、建設途上のＰＣＶ４を積み上げる分割部分を溶接して接続し、仕上げ作業等の作業環境を確保するために、袋状仮設養生屋根１５の下端からＰＣＶ４の側面を包囲するように養生シート１４が下方に配置されている。
【００２７】
袋状仮設養生屋根１５は、加圧された空気を挿入すると膨らむように袋状に構成されており、袋状仮設養生屋根１５には、加圧源１７から加圧された空気を挿入する管１６が接続されている。上記の状態において、降雪があり、仮設養生屋根１５上に積雪がある場合で、袋状仮設養生屋根１５に加圧源１７から管１６を通して加圧空気を流入する。
【００２８】
すると、袋状仮設養生屋根１５は、袋状になっているので空気が流入されると膨らんでくる。その結果、積雪には亀裂とともに積雪の下面と袋状仮設養生屋根１５の間に、僅かな隙間や空間が生じ、摩擦係数が小さくなり非常に滑りやすくなる。袋状仮設養生屋根１５には、適度な傾斜が設けられているので、積雪は容易に落下することになる。また、加圧源１７から加圧された空気を流入する管１６に、仮設でフレキシブルなホースを使用することにより、干渉を避け、容易に引き回しができるので、他工事に影響を与えることはない。
【００２９】
つぎに図２により本発明に係る第２の実施の形態を説明する。図２中、図１と同一部分には同一符号を付して重複する部分の説明は省略する。
本実施の形態は第１の実施の形態において、袋状仮設養生屋根１５に加圧源１７から加圧された空気を流入する管１６の途中に加温装置１８を設けたことにある。なお、加温装置１８を加圧源１７の下流側に設置して管１６を通して袋状仮設養生屋根１５に加温空気を流入することもできる。
【００３０】
本実施の形態によれば、袋状仮設養生屋根１５は、袋状になっているので、加温空気が流入されると膨らんでくる。その結果、積雪には亀裂とともに積雪の下面と袋状仮設養生屋根１５の間に、僅かな隙間や空間が生じ、更に、空気が加温されていることで、積雪の下面が溶け出し、摩擦係数が小さくなり非常に滑りやすくなる。袋状仮設養生屋根１５には、適度な傾斜がついているので、容易に落下することになる。
【００３１】
つぎに図３により、本発明に係る第３の実施の形態を説明する。
本実施の形態は第１の実施の形態または第２の実施の形態における袋状仮設養生屋根１５を複数の骨組１２に沿って複数に区分し、それぞれの区分部に空気供給口１９を設け、この空気供給口１９にカップリング２０を介して管１６と接続したことにある。
【００３２】
各空気供給口１９には図３に示したように管１６の一端がカップリング２０を介して接続し、管１６の他端は図２に示した加温装置１８に接続し、加温装置１８は加圧源１７に接続している。仮設養生屋根１５は、中心部から８本の骨組１２に沿って放射状に８個に区分された三角形の小袋状仮設養生屋根１５ａ〜１５ｈとなっている。
【００３３】
これらの小袋仮設養生屋根１５ａ〜１５ｈには加圧源１７から加温装置１８で加温された加温空気が管１６および空気供給口１９を通して供給される。各管１６にバルブ（図示せず）を取り付けることによって任意区分の小袋状仮設養生屋根１５ａ〜１５ｈに加温空気を送り込むことができる。
【００３４】
本実施の形態によれば、任意の個所の小袋状仮設養生屋根１５ａ〜１５ｈの除雪が容易にできることから、積雪荷重による養生屋根の許容耐力を超えないようにすることができる。また、つららに対しても小さい時期に除去できるので、つららの落下による人身事故も回避できる。
【００３５】
また、本実施の形態は風向き、または周囲の状態によって小袋状仮設養生屋根１５ａ〜１５ｈの積雪状態が異なる場合、部分的に積雪と小袋状仮設養生屋根１５ａ〜１５ｈとの間の摩擦係数を小さくすることができる。
【００３６】
したがって、重力に従い積雪は落下することになり、容易に積雪荷重が小袋状仮設養生屋根１５ａ〜１５ｈの許容耐力を超えないようにすることができる。さらに、自然に、また徐々に大きくなるつららに対しても小さい時期に除去でき、積雪と同じに落下させることができるので、つらら落下による人身事故も回避できる。
【００３７】
なお、本発明では袋状仮設養生屋根１５および小袋状仮設養生屋根１５ａ〜１５ｈの例について説明したが、これらに限ることなく、本設屋根を袋状に形成して適用することもできる。また、小袋状仮設養生屋根の区分数についても任意に選択できる。さらに、原子力発電所の例で説明したが、火力発電所、水力発電所、風力発電所等についても適用することができる。
【００３８】
【発明の効果】
本発明によれば、仮設養生屋根または本設屋根に加圧空気を流入すると膨らむように袋状に構成したので、積雪やつららを容易に除去することができる。
【図面の簡単な説明】
【図１】本発明に係る原子力発電所の建設方法の第１の実施の形態を説明するための概略的な縦断面図。
【図２】本発明に係る原子力発電所の建設方法の第２の実施の形態を説明するための概略的な縦断面図。
【図３】本発明に係る原子力発電所の建設方法の第３の実施の形態を説明するための仮説養生屋根を示す平面図。
【図４】従来の原子力発電所の建設方法を説明するための概略的な縦断面図。
【図５】図４における仮設養生屋根を示す平面図。
【符号の説明】
１…建設途上の原子炉建屋、２…ベースマットコンクリート、３…仮支持台、４…建設途上のコンクリート、５…ペデスタル、６…しゃへいコンクリート、７…仮設架台、８…圧力抑制室、９…ベントパイプ、１０…モノレール、１１…仮設養生屋根、１２…骨組、１３…覆材、１４…養生シート、１５…袋状仮設養生屋根、１６…管、１７…加圧源、１８…加温装置、１９…空気供給口、２０…カップリング。
【図１】
0003980907.tif 000002
【図２】
0003980907.tif 000003
【図３】
0003980907.tif 000004
【図４】
0003980907.tif 000005
【図５】
0003980907.tif 000006